(57)【要約】【課題】簡易な構成で確実にケーブルの抜けを防止できるようにする。【解決手段】ＵＳＢコネクタ２４にＵＳＢケーブル４０のケーブルコネクタ４１が挿入された際に、ケーブル抜け防止機構３０に設けられたストッパ部３３が、ＵＳＢケーブル４０の被覆部４２に設けられた段差面４２Ｓｆに対して、ＵＳＢケーブル４０を抜く方向に対向配置されるようにした。【選択図】図５
2020194698.tif 000002
【特許請求の範囲】
【請求項１】
ケーブル部の端にケーブルコネクタが設けられ、前記ケーブル部の一部分を被覆する被覆部を有し、前記被覆部の前記ケーブルコネクタ側とは反対側の端に段差面を有するコネクタ付きケーブルと接続される電子機器であり、
筐体と、
前記筐体に設けられ、前記ケーブルコネクタが挿入される機器コネクタと、
前記筐体に設けられ、前記機器コネクタに前記ケーブルコネクタが挿入された際に、前記被覆部の前記段差面に対して前記機器コネクタから前記ケーブルコネクタを抜く方向に対向するストッパ部と、
を備えることを特徴とする電子機器。
【請求項２】
前記ストッパ部は、前記機器コネクタから前記機器コネクタの向く方向に離れた位置に設けられている
ことを特徴とする請求項１に記載の電子機器。
【請求項３】
前記ストッパ部は、弾性部材に取り付けられていて、外力によって前記弾性部材が変形することにともなって移動し、当該外力がなくなると前記弾性部材が元の形状に戻ることにともなって元の位置へと戻る
ことを特徴とする請求項２に記載の電子機器。
【請求項４】
前記ストッパ部は、前記機器コネクタに前記ケーブルコネクタが挿入される途中で、前記被覆部と接触して押されることにより前記被覆部の通り道から外れる方向へと移動し、前記機器コネクタに前記ケーブルコネクタが挿入されると、前記被覆部が通りすぎることにより元の位置へと戻り、前記被覆部の前記段差面に対して前記機器コネクタから前記ケーブルコネクタを抜く方向に対向する
ことを特徴とする請求項３に記載の電子機器。
【請求項５】
前記ストッパ部は、前記機器コネクタに前記ケーブルコネクタが挿入された際に前記被覆部の前記段差面と対向する第１の面と、前記機器コネクタに前記ケーブルコネクタが挿入された際に前記ケーブル部の外周と対向する第２の面とを有し、前記第２の面に、前記ケーブル部の外径に沿った形状の窪みが形成されている
ことを特徴とする請求項２〜４のいずれかに記載の電子機器。
【請求項６】
前記ストッパ部は、前記第１の面から前記機器コネクタ側に突出するとともに前記機器コネクタ側とは反対側に向かって弾性変形可能なバネ部を有し、前記機器コネクタに前記ケーブルコネクタが挿入された際に、前記バネ部が前記被覆部の前記段差面に接触する
ことを特徴とする請求項５に記載の電子機器。
【請求項７】
前記コネクタ付きケーブルは、ＵＳＢケーブルである
ことを特徴とする請求項１〜６のいずれかに記載の電子機器。
【請求項８】
請求項１〜７のいずれかに記載の電子機器を備えた
ことを特徴とする自動取引装置。
【発明の詳細な説明】
【技術分野】
【０００１】
本発明は、電子機器及び自動取引装置に関するものであり、特にケーブル接続用のコネクタを有する電子機器、及びこのような電子機器を有する自動取引装置に適用して好適なものである。
【背景技術】
【０００２】
電子機器同士を繋ぐインターフェイスとしてＵＳＢ（Universal Serial Bus）が広く普及している。ＵＳＢに対応する電子機器は、ＵＳＢコネクタを有していて、このＵＳＢコネクタに、ＵＳＢケーブルの端に設けられたコネクタ（以下、これをケーブルコネクタと呼ぶ）が挿入されることで、ＵＳＢケーブルと接続されるようになっている。このような電子機器では、ＵＳＢコネクタに対してＵＳＢケーブルを簡単に抜き差しできるようになっている。
【０００３】
一方で、従来、ＵＳＢコネクタからＵＳＢケーブルが意図せずに簡単に抜けてしまうことのないようにケーブル抜け防止機構を備えた電子機器がある。具体的には、ケーブル抜け防止機構として、ケーブルコネクタを覆うキャップを備え、ＵＳＢコネクタにケーブルコネクタを差し込んだ後、キャップに設けられた爪を、電子機器の筐体に設けられた孔に嵌合して、キャップを筐体に固定することで、キャップを筐体から取り外さないとＵＳＢコネクタからＵＳＢケーブルを抜くことができないようにした電子機器がある（例えば特許文献１参照）。
【０００４】
このようなケーブル抜け防止機構を備えた電子機器では、例えば電子機器に加わる振動によってＵＳＢコネクタからＵＳＢケーブルが抜けてしまったり、ＵＳＢケーブルに何かが引っ掛かってＵＳＢコネクタからＵＳＢケーブルが抜けてしまったりといった、ＵＳＢケーブルの意図しない抜けを防止できるようになっている。
【先行技術文献】
【特許文献】
【０００５】
【特許文献１】特開２００１−１３５４１３号公報
【発明の概要】
【発明が解決しようとする課題】
【０００６】
しかしながら、従来の電子機器では、ケーブル抜け防止機構として、別途キャップが必要であることから、部品点数が増え、電子機器の構成が複雑になってしまうという問題を有していた。さらに従来の電子機器では、キャップを紛失してしまうと、ＵＳＢケーブルの抜けを防止できなくなってしまうという問題を有していた。
【０００７】
本発明は以上の点を考慮したものであり、簡易な構成で確実にケーブルの抜けを防止できる電子機器及び自動取引装置を提案しようとするものである。
【課題を解決するための手段】
【０００８】
かかる課題を解決するため本発明においては、ケーブル部の端にケーブルコネクタが設けられ、前記ケーブル部の一部分を被覆する被覆部を有し、前記被覆部の前記ケーブルコネクタ側とは反対側の端に段差面を有するコネクタ付きケーブルと接続される電子機器に、筐体と、前記筐体に設けられ、前記ケーブルコネクタが挿入される機器コネクタと、前記筐体に設けられ、前記機器コネクタに前記ケーブルコネクタが挿入された際に、前記被覆部の前記段差面に対して前記機器コネクタから前記ケーブルコネクタを抜く方向に対向するストッパ部とを設けた。
【０００９】
これにより、機器コネクタからケーブルコネクタを抜く方向にコネクタ付きケーブルが引っ張られても、コネクタ付きケーブルの被覆部の段差面にストッパ部が引っ掛かることにより、ケーブルが簡単に抜けてしまうことを防ぐことができる。またストッパ部は、筐体に設けられていることから、別途、キャップなどの部品を必要とせず、簡易な構成となっている。
【発明の効果】
【００１０】
かくして本発明は、簡易な構成で確実にケーブルの抜けを防止できる電子機器及び自動取引装置を実現できる。
【図面の簡単な説明】
【００１１】
【図１】第１の実施の形態による現金自動預払機の構成を示す斜視図である。
【図２】第１の実施の形態によるキーパッドの構成を示す斜視図である。
【図３】第１の実施の形態による現金預払機のブロックである。
【図４】第１の実施の形態によるキーパッドの構成を示す斜視図及び下面図である。
【図５】第１の実施の形態によるキーパッドの一部分を拡大した部分拡大図である。
【図６】第１の実施の形態によるケーブル抜け防止機構の構成を示す下面図及び斜視図である。
【図７】第１の実施の形態によるケーブル抜け防止機構の構成を示す断面図である。
【図８】第１の実施の形態によるケーブル抜け防止機構及びＵＳＢケーブルの断面図である。
【図９】比較対象となるケーブル抜け防止機構の構成を示す斜視図である。
【図１０】比較対象となるケーブル抜け防止機構の構成を示す斜視図である。
【図１１】第２の実施の形態によるケーブル抜け防止機構の構成を示す下面図である。
【図１２】第２の実施の形態によるケーブル抜け防止機構及びＵＳＢケーブルの構成を示す断面図である。
【図１３】他の実施の形態によるケーブル抜け防止機構及びＵＳＢケーブルの構成を示す断面図である。
【発明を実施するための形態】
【００１２】
以下、発明を実施するための形態（以下、これを実施の形態と呼ぶ）について、図面を用いて詳細に説明する。
【００１３】
［１．第１の実施の形態］
［１−１．現金自動預払機の外観構成］
まず図１を用いて、自動取引装置としての現金自動預払機１の外観構成について説明する。図１は、現金自動預払機１の外観斜視図である。現金自動預払機１は、例えば金融機関や各種商業施設などに設置され、利用者との間で入金取引や出金取引などの現金に関する取引を行う装置である。尚、ここでは、現金自動預払機１について、利用者と対峙する側を現金自動預払機１の前側、その反対側を後側、現金自動預払機１の前側に対峙する利用者から見て上下左右を、それぞれ現金自動預払機１の上側、下側、左側、右側と定義する。
【００１４】
現金自動預払機１は、略箱型の装置筐体２を有している。装置筐体２は、前面上部が応対部３となっていて、応対部３に、例えば、カード入出口４、入出金口５、操作表示部６、テンキー７、及びレシート発行口８が設けられている。
【００１５】
カード入出口４は、キャッシュカードなどの各種カードが挿入または排出される部分である。入出金口５は、使用者によって入金される紙幣が投入されると共に、使用者へ出金する紙幣が排出される部分であり、シャッタにより開放又は閉塞されるようになっている。
【００１６】
操作表示部６は、操作画面を表示するＬＣＤ（Liquid Crystal Display）と、操作画面に対するタッチ操作を検知するタッチセンサとが一体化されたタッチパネルである。テンキー７は、「０」〜「９」の数字などの入力を受け付ける物理キーであり、暗証番号や取引金額などの入力に用いられる。レシート発行口８は、取引内容などを印字したレシートを発行する部分である。
【００１７】
また装置筐体２の内部には、現金自動預払機１の各部を制御する主制御部９や、紙幣の入出金に関する処理を行う紙幣入出金機１０などが設けられている。主制御部９は、図示しないＣＰＵ（Central Processing Unit）を中心に構成され、図示しない記憶部からプログラムを読み出して実行することにより、各部を制御して種々の処理を実行するようになっている。
【００１８】
さらにこの現金自動預払機１は、図１及び図２に示すように、テンキー７が装置筐体２（図２では省略）とは別体の電子機器であるキーパッド２０に設けられていて、このキーパッド２０が装置筐体２前面の所定箇所に固定されている。図２の外観斜視図に示すように、キーパッド２０は、四角形板状の筐体（これをパッド筐体と呼ぶ）２１を有していて、このパッド筐体２１の厚さ方向の一面２１Ｕにテンキー７が配置されている。尚、ここでは、キーパッド２０について、テンキー７が配置されている一面２１Ｕをパッド上面２１Ｕとするとともに、パッド上面２１Ｕの反対側の一面２１Ｄをパッド下面２１Ｄとする。さらにパッド筐体２１の前後左右の側面を、それぞれパッド前面２１Ｆ、パッド後面２１Ｂ、パッド左側面２１Ｌ、パッド右側面２１Ｒとする。
【００１９】
このキーパッド２０は、テンキー７以外の部分が、装置筐体２に取り付けられる図示しないカバーにより覆い隠されるようになっている。つまり、現金自動預払機１では、このカバーを外さないとキーパッド２０を取り外すことができない。また図３にブロック図を示すように、このキーパッド２０は、コネクタ付きケーブルとしてのＵＳＢケーブル４０（図２では省略）を介して主制御部９と接続されていて、テンキー７を操作して入力された情報を、主制御部９に送信するようになっている。以下、このキーパッド２０の構成についてさらに詳しく説明する。
【００２０】
［１−２．キーパッドの構成］
キーパッド２０の構成を、図２、図４（Ａ）、（Ｂ）に示す。図２は、キーパッド２０をパッド上面２１Ｕ側から見た場合の斜視図であり、図４（Ａ）は、キーパッド２０をパッド下面２１Ｄ側から見た場合の斜視図である。また図４（Ｂ）は、キーパッド２０の下面図である。
【００２１】
図４（Ａ）、（Ｂ）に示すように、キーパッド２０は、パッド筐体２１の下部が、パッド下面２１Ｄ、パッド前面２１Ｆ、パッド後面２１Ｂ、パッド左側面２１Ｌ、パッド右側面２１Ｒを形成するロアカバー２２となっている。このロアカバー２２のパッド下面２１Ｄ側の後部には、パッド下面２１Ｄに対して凹んだ凹部２３が設けられている。この凹部２３は、パッド後面２１Ｂの左右方向の中央部分から前方へ（つまりパッド前面２１Ｆ側へ）と延びていて、パッド下面２１Ｄとほぼ平行な四角形状の底面２３Ｄと、底面２３Ｄの前端側（パッド後面２１Ｂから遠い側）に位置していてパッド後面２１Ｂとほぼ平行な前壁面２３Ｆと、底面２３Ｄの左右両端側に位置していてパッド後面２１Ｂとほぼ直交する左壁面２３Ｌ及び右壁面２３Ｒとで形成されている。
【００２２】
またこのロアカバー２２は、凹部２３の前端側に位置する前壁面２３Ｆから、パッド筐体２１の内部に設けられた機器コネクタとしてのＵＳＢコネクタ２４の挿入口２４Ｓが露出するようになっている。この挿入口２４Ｓは、キーパッド２０のパッド後面２１Ｂ側（つまり後方）に向けられている。よって、図５に部分拡大図を示すように、キーパッド２０は、パッド下面２１Ｄ側において、ＵＳＢコネクタ２４の挿入口２４Ｓに対してパッド後面２１Ｂ側からＵＳＢケーブル４０のケーブルコネクタ４１が挿入されることで、ＵＳＢコネクタ２４とケーブルコネクタ４１とが嵌合するようになっている。尚、ＵＳＢコネクタ２４とケーブルコネクタ４１は、例えばｍｉｎｉ  ＵＳＢのｍｉｎｉ−Ｂタイプとなっている。
【００２３】
ここで、ＵＳＢケーブル４０の構成について簡単に説明する。図５に示すＵＳＢケーブル４０は、一般的なものであり、ケーブルコネクタ４１と、被覆部４２と、ケーブル部４３とで構成されている。ケーブルコネクタ４１は、ケーブル部４３の両端に設けられている。被覆部４２は、ケーブルコネクタ４１とケーブル部４３との接続部分を覆う部材であり、一端側からケーブルコネクタ４１が突出するとともに、他端側からケーブル部４３が延びている。
【００２４】
この被覆部４２は、例えば、ハウジング４２Ｈと、ストレインリリーフ４２Ｓとで構成されている。ハウジング４２Ｈは、被覆部４２のケーブルコネクタ４１側に設けられていて、例えば樹脂により直方体状に形成されている。このハウジング４２Ｈは、ケーブルコネクタ４１とケーブル部４３の接続部分を保護する部材である。一方、ストレインリリーフ４２Ｓは、被覆部４２のケーブル部４３側に設けられていて、例えば樹脂により略円筒状に形成されていて、その内側にケーブル部４３が通されている。このストレインリリーフ４２Ｓは、ケーブル部４３とケーブルコネクタ４１との接続部分に加わる力を低減させる部材である。
【００２５】
またＵＳＢケーブル４０は、被覆部４２のケーブル部４３側に位置するストレインリリーフ４２Ｓがケーブル部４３より太い円筒状であることから、ストレインリリーフ４２Ｓのハウジング４２Ｈとは反対側の端部が、ケーブル部４３の外周より一段高い段差となっている。ここで、ストレインリリーフ４２Ｓのハウジング４２Ｈとは反対側の端面４２Ｓｆを段差面４２Ｓｆと呼ぶ。この段差面４２Ｓｆは、ケーブル部４３の外周に対してほぼ直交している。
【００２６】
尚、ロアカバー２２は、ＵＳＢケーブル４０の被覆部４２が、凹部２３の底面２３Ｄに当接もしくは近接した状態で、ＵＳＢコネクタ２４にＵＳＢケーブル４０が挿入されるようになっている。
【００２７】
ここで再びロアカバー２２の構成の説明に戻る。図４（Ａ）、（Ｂ）に示すように、ロアカバー２２のパッド下面２１Ｄ側には、ＵＳＢコネクタ２４の挿入口２４Ｓの後方（つまり凹部２３の底面２３Ｄの後端部）に、ＵＳＢコネクタ２４に差し込まれたＵＳＢケーブル４０の抜けを防止するケーブル抜け防止機構３０が設けられている。このケーブル抜け防止機構３０は、ロアカバー２２と一体に形成されていて（ロアカバー２２に部品として取り付けられていてもよい）、図５に示すように、ＵＳＢコネクタ２４からＵＳＢコネクタ２４の向く方向（後方）に離れた位置に設けられ、ＵＳＢコネクタ２４に挿入されたＵＳＢケーブル４０のケーブル部４３と対向するように配置されている。
【００２８】
さらにロアカバー２２のパッド下面２１Ｄ側には、ケーブル抜け防止機構３０の左右両側に、ＵＳＢケーブル４０のケーブル部４３を保持するケーブル保持部２５Ｌ、２５Ｒが設けられている。左側のケーブル保持部２５Ｌは、パッド左側面２１Ｌから凹部２３の左壁面２３Ｌへと延びる溝となっていて、右側のケーブル保持部２５Ｒは、パッド右側面２１Ｒから凹部２３の右壁面２３Ｒへと延びる溝となっている。これら左右のケーブル保持部２５Ｌ、２５Ｒは、ＵＳＢケーブル４０のケーブル部４３の太さと同程度の幅を有している。ロアカバー２２では、図４（Ｂ）に点線で示すように、ＵＳＢコネクタ２４に挿入されたＵＳＢケーブル４０を、折り曲げずにそのまま真っ直ぐパッド筐体２１の後方に引き出したり、ケーブル抜け防止機構３０より後方で左右方向に折り曲げて左右のケーブル保持部２５Ｌ、２５Ｒのどちらかに保持させることで、左右方向に引き出したりできるようになっている。
【００２９】
［１−３．ケーブル抜け防止機構の構成］
つづけて、ケーブル抜け防止機構３０の構成について、図６（Ａ）、（Ｂ）を用いて詳しく説明する。図６（Ａ）は、ケーブル抜け防止機構３０の下面図であり、図６（Ｂ）は、ケーブル抜け防止機構３０の外観斜視図である。
【００３０】
ケーブル抜け防止機構３０は、主要部として、台座部３１と、梯部３２と、ストッパ部３３とを有している。台座部３１は、略板状であり、凹部２３の底面２３Ｄとほぼ平行になるようにして、底面２３Ｄの後端（つまりパッド後面２１Ｂ）からＵＳＢコネクタ２４（図６では省略）側となる前方へと延びている。この台座部３１は、凹部２３の底面２３Ｄよりわずかに高く、パッド下面２１Ｄ（図６では省略）より低い位置に形成されている。またこの台座部３１は、左右方向に対向配置された左側部３１Ｌ及び右側部３１Ｒと、これらの後端部を繋ぐ中間部３１Ｃとを有し、下方から見てＵＳＢコネクタ２４（図６では省略）側となる前方に開いたコの字型となっている。
【００３１】
梯部３２は、台座部３１の左側部３１Ｌと右側部３１Ｒとの間に、これら左側部３１Ｌと右側部３１Ｒと離間するように設けられた細長い薄板状であり、台座部３１の中間部３１ＣからＵＳＢコネクタ２４（図６では省略）側となる前方へと延びている。別の言い方をすると、この梯部３２は、ＵＳＢコネクタ２４に接続されたＵＳＢケーブル４０のケーブル部４３の外周と対向する位置に設けられていて、ケーブル部４３の軸方向に沿って延びている。この梯部３２は、図７（Ａ）、（Ｂ）に左右方向から見た断面図を示すように、凹部２３の底面２３Ｄとほぼ平行に形成された、上下方向（つまりパッド筐体２１の厚さ方向）に弾性変形可能な板バネである。したがって、この梯部３２は、台座部３１の中間部３１Ｃと接続されている根本部分を支点として、根本部分とは反対側の先端部分が上下方向に撓るようになっている。
【００３２】
ストッパ部３３は、この梯部３２の先端に設けられている。このストッパ部３３は、梯部３２よりも上下左右方向に大きい略直方体状である。図７（Ａ）に示すように、このストッパ部３３は、凹部２３の底面２３Ｄより一段高くなる（突出する）ように形成されている。尚、ストッパ部３３の底面２３Ｄからの突出量は、ＵＳＢケーブル４０の被覆部４２のケーブル部４３側に設けられた段差の高さ程度となっている。さらに図６（Ｂ）に示すように、このストッパ部３３は、ＵＳＢコネクタ２４に接続されたＵＳＢケーブル４０のケーブル部４３の外周と対向する第２の面としての下面３３Ｂに、ケーブル部４３の外径に沿った湾曲形状の窪み３３Ｄが設けられている。これにより、ストッパ部３３は、ＵＳＢケーブル４０がＵＳＢコネクタ２４に挿入された際に、この窪み３３Ｄにケーブル部４３の外周の一部分が収まるようになっている。
【００３３】
またこのストッパ部３３は、図４（Ｂ）に示すように、梯部３２とは反対側に位置する第１の面としての先端面３３Ｃが、ＵＳＢコネクタ２４の挿入口２４Ｓから距離Ｄ１だけ離れている。ここで、この距離Ｄ１は、図５に示すＵＳＢケーブル４０の被覆部４２の一端から他端までの長さＤ２とほぼ等しい距離（より具体的にはわずかに長い距離）に選定されている。これにより、ストッパ部３３は、ＵＳＢケーブル４０がＵＳＢコネクタ２４に挿入された際に、先端面３３Ｃが、被覆部４２の他端に位置する段差面４２Ｓｆに当接もしくは近接するようになっている。
【００３４】
さらにこのストッパ部３３は、梯部３２の先端に設けられていることから、梯部３２が上下方向に撓ることにともなって、上下方向に移動するようになっている。つまり、図７（Ａ）、（Ｂ）に示すように、ストッパ部３３は、例えば、上方向へ押す力が加わると、梯部３２が撓ることにともなって上方向へ移動し、上方向へ押す力がなくなると、梯部３２が弾性変形により元の形状に戻ることにともなって元の位置に戻るようになっている。
【００３５】
尚、ロアカバー２２には、ストッパ部３３及び梯部３２の裏側（つまり上側）に空間が設けられていて、梯部３２が上方向に撓ることができるようになっている。ここで、梯部３２が撓る最大量は、例えばＵＳＢケーブル４０の被覆部４２の段差の高さ以上となっている。
【００３６】
さらに図６（Ａ）、（Ｂ）に示すように、台座部３１の左側部３１Ｌ及び右側部３１Ｒには、それぞれＵＳＢコネクタ２４側となる前端部に、ＵＳＢケーブル４０をＵＳＢコネクタ２４に接続する際のガイドとなるガイド板３１Ｌｇ及びガイド板３１Ｒｇが設けられている。これら左右のガイド板３１Ｌｇ、３１Ｒｇは、厚さ方向を左右方向とする向きで対向配置された板状部材であり、ストッパ部３３の左右両側に位置していて前後方向に延びている。尚、左右のガイド板３１Ｌｇ、３１Ｒｇの間隔は、ＵＳＢケーブル４０の太さ（例えばストレインリリーフ４２Ｓの太さ）以上であり、これらの間に、ＵＳＢケーブル４０が収まるようになっている。このように、左右のガイド板３１Ｌｇ、３１Ｒｇは、左右方向に対向配置されて前後方向に延びていることにより、ＵＳＢケーブル４０をＵＳＢコネクタ２４に接続する際のＵＳＢケーブル４０の位置及び差し込み方向をガイドするようになっている。ケーブル抜け防止機構３０の構成は、以上のようになっている。
【００３７】
［１−４．ケーブル抜け防止機構の動作］
つづけて、ケーブル抜け防止機構３０の動作（つまりどのようにしてＵＳＢケーブル４０の抜けを防止するようになっているのか）について説明する。まずＵＳＢケーブル４０をＵＳＢコネクタ２４に挿入する際のケーブル抜け防止機構３０の動作について説明する。
【００３８】
ＵＳＢケーブル４０をＵＳＢコネクタ２４に挿入する場合、作業者は、例えばキーパッド２０のパッド筐体２１を裏返す。次に、作業者は、パッド筐体２１の裏側から露出しているＵＳＢコネクタ２４の挿入口２４Ｓに対して、挿入口２４Ｓの後方に位置するケーブル抜け防止機構３０側から、ＵＳＢケーブル４０のケーブルコネクタ４１を挿入する。このとき、作業者は、ＵＳＢケーブル４０を、ケーブル抜け防止機構３０に設けられた左右のガイド板３１Ｌｇ、３１Ｒｇの間に位置させつつ、パッド筐体２１の凹部２３の底面２３Ｄに這わせるようにして、ケーブルコネクタ４１をＵＳＢコネクタ２４に挿入する。
【００３９】
このようにしてＵＳＢケーブル４０がＵＳＢコネクタ２４に挿入される際、ＵＳＢケーブル４０の被覆部４２が、パッド筐体２１の凹部２３の底面２３Ｄに接触もしくは近接する。この為、図８（Ａ）に左右方向から見た断面図に示すように、ケーブル抜け防止機構３０は、ＵＳＢケーブル４０がＵＳＢコネクタ２４（図８で省略）に挿入される途中で、凹部２３の底面２３Ｄから突き出ているストッパ部３３が、ＵＳＢケーブル４０の被覆部４２と接触して上方向へ押される。このとき、ストッパ部３３は、梯部３２が被覆部４２の段差の高さと同程度撓ることにともなって、ＵＳＢケーブル４０の挿入を妨げないよう、被覆部４２の通り道から外れる上方向へ退避（移動）する。
【００４０】
その後、ＵＳＢケーブル４０のケーブルコネクタ４１がＵＳＢコネクタ２４に対して完全に挿入されると、このとき、図８（Ｂ）に左右方向から見た断面図に示すように、ＵＳＢケーブル４０の被覆部４２が、ストッパ部３３を通り過ぎて、ストッパ部３３の先端面３３ＣよりＵＳＢコネクタ２４（図８では省略）側となる前方に位置する。すると、ストッパ部３３は、被覆部４２により押されていた力がなくなることで、梯部３２とともに元の位置へと戻る。この結果、ストッパ部３３は、ＵＳＢケーブル４０のケーブル部４３に近づき、窪み３３Ｄ（図６（Ｂ）参照）にケーブル部４３の外周の一部分が収まる。
【００４１】
またこのとき、図８（Ｂ）に示すように、ストッパ部３３は、先端面３３Ｃが、ＵＳＢケーブル４０の被覆部４２の他端に位置する段差面４２Ｓｆに当接もしくは近接する。つまりこのとき、ストッパ部３３の先端面３３Ｃが、ＵＳＢケーブル４０の段差面４２Ｓｆに対して、ＵＳＢケーブル４０を抜く方向である後方に対向配置される。これにより、ケーブル抜け防止機構３０は、ＵＳＢコネクタ２４からケーブルコネクタ４１を抜く方向にＵＳＢケーブル４０が引っ張られても、ＵＳＢケーブル４０の段差面４２Ｓｆにストッパ部３３の先端面３３Ｃが引っ掛かる為、ＵＳＢケーブル４０が簡単に抜けてしまうことを防ぐことができる。ＵＳＢケーブル４０をＵＳＢコネクタ２４に挿入する際のケーブル抜け防止機構３０の動作については、以上のようになっている。
【００４２】
つづけて、ＵＳＢケーブル４０をＵＳＢコネクタ２４から抜く際のケーブル抜け防止機構３０の動作について説明する。ＵＳＢケーブル４０をＵＳＢコネクタ２４から抜く場合、作業者は、例えばキーパッド２０のパッド筐体２１を裏返す。次に、作業者は、ＵＳＢコネクタ２４に挿入されているＵＳＢケーブル４０全体のうち、ケーブル抜け防止機構３０と対向している部分（つまりケーブル部４３の被覆部４２に近い部分）を、ケーブル抜け防止機構３０側（上側）に軽く押しながら、ＵＳＢケーブル４０を後方へと引っ張る。
【００４３】
このとき、ケーブル抜け防止機構３０は、ストッパ部３３がケーブル部４３により上方向へ押されることで、ストッパ部３３が、ＵＳＢケーブル４０の抜きを妨げないよう、梯部３２が撓ることにともなって被覆部４２の通り道から外れる上方向へ退避（移動）する。よって、作業者は、そのままＵＳＢケーブル４０を後方へと引っ張ることで、ＵＳＢケーブル４０をＵＳＢコネクタ２４から簡単に抜くことができる。ＵＳＢケーブル４０をＵＳＢコネクタ２４から抜く際のケーブル抜け防止機構３０の動作については、以上のようになっている。
【００４４】
［１−５．まとめと効果］
ここまで説明したように、第１の実施の形態のキーパッド２０は、パッド筐体２１のパッド下面２１Ｄの中央部に、パッド後面２１Ｂ側を向くようにＵＳＢコネクタ２４が設けられ、さらにこのＵＳＢコネクタ２４からＵＳＢコネクタ２４の向く方向に離れた箇所にケーブル抜け防止機構３０を設けるようにした。
【００４５】
そしてこのキーパッド２０は、ＵＳＢコネクタ２４にＵＳＢケーブル４０のケーブルコネクタ４１が挿入された際に、ケーブル抜け防止機構３０に設けられたストッパ部３３の先端面３３Ｃが、ＵＳＢケーブル４０の被覆部４２に設けられた段差面４２Ｓｆに対して、ＵＳＢケーブル４０を抜く方向に対向配置されるようにした。すなわち、キーパッド２０は、ＵＳＢコネクタ２４にＵＳＢケーブル４０のケーブルコネクタ４１が挿入されると、ＵＳＢコネクタ２４とケーブル抜け防止機構３０のストッパ部３３との間に、ＵＳＢケーブル４０の被覆部４２を挟み込むようにした。
【００４６】
これにより、キーパッド２０は、ＵＳＢコネクタ２４からケーブルコネクタ４１を抜く方向にＵＳＢケーブル４０が引っ張られても、ＵＳＢケーブル４０の段差面４２Ｓｆにストッパ部３３の先端面３３Ｃが引っ掛かる為、ＵＳＢケーブル４０が簡単に抜けてしまうことを防ぐことができる。またキーパッド２０は、ケーブル抜け防止機構３０が、パッド筐体２１と一体に形成されていることから、別途、キャップなどの部品を必要とせず、簡易な構成となっている。以上のことから、キーパッド２０は、簡易な構成で確実にケーブルの抜けを防止できる。
【００４７】
またケーブル抜け防止機構３０は、ＵＳＢコネクタ２４にＵＳＢケーブル４０を挿入する際、ストッパ部３３がＵＳＢケーブル４０の被覆部４２と接触して押されると、梯部３２が撓ることでストッパ部３３が被覆部４２の通り道から外れる方向に移動する。そして、ケーブル抜け防止機構３０は、ＵＳＢコネクタ２４にＵＳＢケーブル４０を挿入し終えると、被覆部４２がストッパ部３３を通り過ぎることにより、梯部３２が弾性変形してストッパ部３３が元の位置へと戻り、ストッパ部３３の先端面３３ＣがＵＳＢケーブル４０の段差面４２Ｓｆに対してＵＳＢケーブル４０を抜く方向に対向配置されるようにした。このように、ケーブル抜け防止機構３０では、ＵＳＢケーブル４０の抜けを防止する為の特別な作業を必要とせずに、簡単な作業でＵＳＢコネクタ２４にＵＳＢケーブル４０を挿入することができる。
【００４８】
さらにケーブル抜け防止機構３０は、ＵＳＢコネクタ２４からＵＳＢケーブル４０を抜く際、ＵＳＢケーブル４０をケーブル抜け防止機構３０側（上側）に軽く押すことで、ストッパ部３３がＵＳＢケーブル４０により押されて被覆部４２の通り道から外れる上方向へと退避するようにした（つまりストッパを解除するようにした）。こうすることで、ケーブル抜け防止機構３０では、ＵＳＢケーブル４０をケーブル抜け防止機構３０側（上側）に軽く押しながら引っ張るといった簡単な作業でＵＳＢコネクタ２４からＵＳＢケーブル４０を抜くことができる。
【００４９】
このように、キーパッド２０は、簡易な構成で確実にケーブルの抜けを防止できるとともに、簡単な作業でＵＳＢコネクタ２４からＵＳＢケーブル４０を抜くことができる。
【００５０】
ここで、本実施の形態のケーブル抜け防止機構３０の比較対象となるケーブル抜け防止機構について簡単に説明する。図９及び図１０に、比較対象となるケーブル抜け防止機構１００、２００を示す。
【００５１】
図９に示すケーブル抜け防止機構１００は、キーパッド１０１ではなく、キーパッド１０１を設置するベース１０２に設けられている。このケーブル抜け防止機構１００は、ＵＳＢケーブル４０を保持するタイラップ１０３をベース１０２に取り付けたものである。具体的にこのケーブル抜け防止機構１００は、キーパッド１０１の一側面に設けられた図示しないＵＳＢコネクタに挿入されたＵＳＢケーブル４０のケーブル部４３を、ベース１０２に取り付けられたタイラップ１０３に通して保持することで、ＵＳＢケーブル４０の抜けを防止するようになっている。
【００５２】
一方、図１０に示すケーブル抜け防止機構２００は、キーパッド２０１に設けられている。このケーブル抜け防止機構２００は、ケーブル抜け防止機構３０と同様の位置（つまりＵＳＢコネクタ２０２からＵＳＢコネクタ２０２の向く方向に離れた位置）に、ＵＳＢケーブル４０を保持するタイラップ２０３を取り付けたものである。このケーブル抜け防止機構２００も、ＵＳＢコネクタ２０２に挿入されたＵＳＢケーブル４０のケーブル部４３を、キーパッド２０１に取り付けられたタイラップ２０３に通して保持することで、ＵＳＢケーブル４０の抜けを防止するようになっている。
【００５３】
このように、ケーブル抜け防止機構１００、２００では、タイラップ１０３、２０３によりＵＳＢケーブル４０の抜けを防止するようになっている為、別途、タイラップ１０３、２０３が必要になる。またケーブル抜け防止機構１００、２００では、タイラップ１０３、２０３でＵＳＢケーブル４０を締め付ける場合に、締め付け強度の調整が難しく、締め付け強度が強すぎると、ＵＳＢケーブル４０に過度な負荷を与えてしまい、通信障害を引き起こす恐れがある。さらにケーブル抜け防止機構１００、２００では、ＵＳＢケーブル４０を挿入する際に、別途、タイラップ１０３、２０３による締め付け作業が必要になってくる。
【００５４】
これに対して、本実施の形態のケーブル抜け防止機構３０では、上述したように、ケーブル抜け防止機構３０が、パッド筐体２１のロアカバー２２と一体に設けられていることから、別途、タイラップ１０３、２０３のような部品を必要としない。また本実施の形態のケーブル抜け防止機構３０では、上述したように、ストッパ部３３の先端面３３Ｃが、ＵＳＢケーブル４０の段差面４２Ｓｆに対して、ＵＳＢケーブル４０を抜く方向に対向配置されるだけなので、ＵＳＢケーブル４０に過度な負荷を与えることがなく、通信障害を引き起こす恐れもない。さらに本実施の形態のケーブル抜け防止機構３０では、上述したように、ＵＳＢケーブル４０を挿入する際に、別途、締め付け作業のような面倒な作業を必要とせず、簡単な作業でＵＳＢコネクタ２４にＵＳＢケーブル４０を挿入することができる。
【００５５】
このように、本実施の形態のケーブル抜け防止機構３０は、ケーブル抜け防止機構１００、２００と比較して、部品点数の削減、ＵＳＢケーブル４０に対する負荷の削減、ＵＳＢケーブル４０を挿入する作業時間の短縮といった効果を得ることができる。
【００５６】
［２．第２の実施の形態］
次に、第２の実施の形態について説明する。この第２の実施の形態は、キーパッド２０に設けられたケーブル抜け防止機構３０の構成が、第１の実施の形態とは異なる実施の形態であり、それ以外の部分については、第１の実施の形態と同一もしくはほぼ同一になっている。よってここではケーブル抜け防止機構３０についてのみ説明する。尚、以下の説明では、第１の実施の形態と区別できるよう、第２の実施の形態のケーブル抜け防止機構３０を、ケーブル抜け防止機構３０ｘと呼ぶ。
【００５７】
［２−１．ケーブル抜け防止機構の構成］
ケーブル抜け防止機構３０ｘの構成について、図１１、図１２（Ａ）を用いて詳しく説明する。尚、図１１は、ケーブル抜け防止機構３０ｘの下面図であり、図１２（Ａ）は、ケーブル抜け防止機構３０ｘを左右方向から見た断面図である。ケーブル抜け防止機構３０ｘは、ストッパ部３００以外の部分については、第１の実施の形態のケーブル抜け防止機構３０と同一もしくはほぼ同一であり、同一部分についての説明は省略する。
【００５８】
ケーブル抜け防止機構３０ｘのストッパ部３００は、ケーブル抜け防止機構３０のストッパ部３３に、バネ部３００Ｓを追加した構成となっている。具体的に、ストッパ部３００ｘには、図１１に示すように、梯部３２とは反対側に位置する先端面３００Ｃの左右方向の中央部分から梯部３２側へと延びる切り欠き３００Ｎが形成されている。尚、図１１では省略するが、ストッパ部３００の先端面３００Ｃは、ストッパ部３３の先端面３３Ｃと同様、ＵＳＢコネクタ２４の挿入口２４Ｓから距離Ｄ１だけ離れている。
【００５９】
バネ部３００Ｓは、図１２（Ａ）に示すように、切り欠き３００Ｎの一番奥（梯部３２側）からストッパ部３００の上面に沿って図示しないＵＳＢコネクタ２４側へと延びる第１板部３００Ｓｆと、この第１板部３００Ｓｆの先端から第１板部３００Ｓｆと直交するようにしてストッパ部３００の下面側へと延びる第２板部３００Ｓｓと、この第２板部３００Ｓｓの先端部に設けられた図示しないＵＳＢコネクタ２４側に突出する突出部３００Ｓｐとで構成されている。
【００６０】
このバネ部３００Ｓは、第１板部３００Ｓｆ及び第２板部３００Ｓｓが切り欠き３００Ｎの内側に位置していて、突出部３００Ｓｐが切り欠き３００Ｎの外側にはみ出るようになっている。つまりこのバネ部３００Ｓは、突出部３００Ｓｐが、ストッパ部３００の先端面３００ＣよりＵＳＢコネクタ２４側に突出するようになっている。
【００６１】
図１２（Ａ）に示すように、このバネ部３００Ｓは、第２板部３００Ｓｓの根本部分を支点として、第２板部３００Ｓｓの先端部分が前後方向に撓るように弾性変形可能となっている。よって、バネ部３００Ｓの突出部３００Ｓｐは、例えば図示しないＵＳＢコネクタ２４とは反対側となる後方へ押す力が加わると、第２板部３００Ｓｓが撓ることにともなって後方（つまり切り欠き３００Ｎの内側）へ移動し、後方へ押す力がなくなると、第２板部３００Ｓｓが弾性変形により元の形状に戻ることにともなって元の位置に戻るようになっている。尚、ケーブル抜け防止機構３０ｘでは、突出部３００Ｓｐ全体が切り欠き３００Ｎの内側に収まることができるように、切り欠き３００Ｎのサイズなどが選定されている。ケーブル抜け防止機構３０ｘの構成は、以上のようになっている。
【００６２】
［２−２．ケーブル抜け防止機構の動作］
つづけて、ケーブル抜け防止機構３０ｘの動作について説明する。尚、ケーブル抜け防止機構３０ｘの動作は、ケーブル抜け防止機構３０の動作にバネ部３００Ｓの動作が追加されたものである為、ここでは、主にバネ部３００Ｓの動作について説明する。まずＵＳＢケーブル４０をＵＳＢコネクタ２４に挿入する際のケーブル抜け防止機構３０ｘの動作について説明する。
【００６３】
ＵＳＢケーブル４０をＵＳＢコネクタ２４に挿入すると、図１２（Ｂ）の断面図に示すように、ケーブル抜け防止機構３０ｘは、ケーブル抜け防止機構３０と同様、ストッパ部３００の先端面３００Ｃが、ＵＳＢケーブル４０の被覆部４２の他端に位置する段差面４２Ｓｆに当接もしくは近接する。ここで、ケーブル抜け防止機構３０ｘは、バネ部３００Ｓの突出部３００Ｓｐが、ストッパ部３００の先端面３００Ｃから突出している為、この突出部３００Ｓｐが、ＵＳＢケーブル４０の段差面４２Ｓｆと当接する。このとき、バネ部３００Ｓは、突出部３００ＳｐがＵＳＢケーブル４０の段差面４２Ｓｆにより後方へと押されることで、第２板部３００Ｓｓが撓るとともに突出部３００Ｓｐが後方に移動する。またこのとき、バネ部３００Ｓは、第２板部３００Ｓｓが元の形状に戻ろうとする弾性力によって、突出部３００ＳｐがＵＳＢケーブル４０の段差面４２ＳｆをＵＳＢコネクタ２４側（前方）に押している状態となる。
【００６４】
このように、ケーブル抜け防止機構３０ｘは、ＵＳＢコネクタ２４に挿入されたＵＳＢケーブル４０を、バネ部３００ＳによりＵＳＢコネクタ２４側に軽く押さえ付けるようにしたことにより、ＵＳＢケーブル４０の抜けをより確実に防ぐとともに、ＵＳＢケーブル４０のぐらつきなどを防ぐこともできる。
【００６５】
またケーブル抜け防止機構３０ｘは、ＵＳＢコネクタ２４からケーブルコネクタ４１を抜く方向にＵＳＢケーブル４０が引っ張られた場合には、ＵＳＢケーブル４０の段差面４２Ｓｆと当接しているバネ部３００Ｓの突出部３００Ｓｐが段差面４２Ｓｆにより切り欠き３００Ｎの内側へと押し込まれる。このとき、ケーブル抜け防止機構３０ｘは、ケーブル抜け防止機構３０と同様、ＵＳＢケーブル４０の段差面４２Ｓｆがストッパ部３００の先端面３００Ｃに当接して引っ掛かることで、ＵＳＢケーブル４０が簡単に抜けてしまうことを防ぐことができる。ＵＳＢケーブル４０をＵＳＢコネクタ２４に挿入する際のケーブル抜け防止機構３０ｘの動作については、以上のようになっている。
【００６６】
つづけて、ＵＳＢケーブル４０をＵＳＢコネクタ２４から抜く際のケーブル抜け防止機構３０ｘの動作について説明する。図は省略するが、ケーブル抜け防止機構３０ｘは、ケーブル抜け防止機構３０と同様、ストッパ部３００がケーブル部４３により上方向へ押されることで、ストッパ部３００が、被覆部４２の通り道から外れる上方向へ退避（移動）する。よって、作業者は、そのままＵＳＢケーブル４０を後方へと引っ張ることで、ＵＳＢケーブル４０をＵＳＢコネクタ２４から簡単に抜くことができる。ＵＳＢケーブル４０をＵＳＢコネクタ２４から抜く際のケーブル抜け防止機構３０ｘの動作については、以上のようになっている。
【００６７】
［２−３．まとめと効果］
ここまで説明したように、第２の実施の形態のケーブル抜け防止機構３０ｘは、ストッパ部３００に、先端面３００ＣからＵＳＢコネクタ２４側に突出するとともに、ＵＳＢコネクタ２４とは反対側の後方に弾性変形可能なバネ部３００Ｓを設けるようにした。
【００６８】
そしてこのケーブル抜け防止機構３０ｘは、ＵＳＢコネクタ２４にＵＳＢケーブル４０のケーブルコネクタ４１が挿入されると、ストッパ部３００の先端面３００Ｃが、ＵＳＢケーブル４０の段差面４２Ｓｆに対して、ＵＳＢケーブル４０を抜く方向に対向配置されるとともに、ストッパ部３００の先端面３００Ｃから突出するバネ部３００Ｓの突出部３００Ｓｐが段差面４２Ｓｆに当接して段差面４２Ｓｆを前方（ＵＳＢコネクタ２４側）に押すようにした。
【００６９】
これにより、ケーブル抜け防止機構３０ｘは、ＵＳＢケーブル４０をＵＳＢコネクタ２４側に軽く押さえ付けて、ＵＳＢケーブル４０の抜けをより確実に防ぐとともに、ＵＳＢケーブル４０のぐらつきなどを防ぐことができる。
【００７０】
またケーブル抜け防止機構３０ｘは、ＵＳＢケーブル４０の段差面４２Ｓｆと当接するバネ部３００Ｓの突出部３００Ｓｐが、ＵＳＢケーブル４０の長手方向（前後方向）に変位可能となっていることにより、ＵＳＢケーブル４０の段差面４２Ｓｆの位置にバラつきがあったとしても、突出部３００Ｓｐを確実にＵＳＢケーブル４０の段差面４２Ｓｆに当接させることができる。尚、この突出部３００Ｓｐの先端面３００Ｃからの突出量は、想定されるＵＳＢケーブル４０の段差面４２Ｓｆの位置のバラつきに合わせて選定すればよい。
【００７１】
［３．他の実施の形態］
［３−１．他の実施の形態１］
尚、上述した第１の実施の形態では、キーパッド２０のパッド下面２１Ｄ側にＵＳＢコネクタ２４とケーブル抜け防止機構３０を設けたが、これに限らず、キーパッド２０の別の箇所にＵＳＢコネクタ２４及びケーブル抜け防止機構３０を設けるようにしてもよい。第２の実施の形態についても同様である。
【００７２】
［３−２．他の実施の形態２］
また上述した第１の実施の形態では、被覆部４２を構成するストレインリリーフ４２Ｓの端が段差面４２ＳｆとなっているＵＳＢケーブル４０を用いるようにした。これに限らず、被覆部４２の構成がＵＳＢケーブル４０とは異なるＵＳＢケーブルを用いるようにしてもよい。例えば、被覆部４２がハウジング４２ＨのみのＵＳＢケーブルを用いてもよい。このようなＵＳＢケーブルを用いる場合、ハウジング４２Ｈの端が段差面となっているので、この段差面に対して、ケーブル抜け防止機構３０のストッパ部３３が対向配置されるようにすればよい。
【００７３】
つまり、ＵＳＢケーブル４０のケーブル部４３の一部分を覆う被覆部４２については、少なくともケーブルコネクタ４１とは反対側の端に段差面が形成されていれば、どのような構成であってもよい。さらに言うと、上述した第１の実施の形態では、ＵＳＢケーブル４０を用いたが、これに限らず、ケーブル部の一部分を覆う被覆部を有するものであれば、ＵＳＢケーブル４０以外のコネクタ付きケーブルを用いるようにしてもよい。この場合、キーパッド２０には、そのコネクタ付きケーブルが挿入される機器コネクタと、そのコネクタ付きケーブルに適した配置及びサイズでなるケーブル抜け防止機構３０とを設けるようにすればよい。第２の実施の形態についても同様である。
【００７４】
［３−３．他の実施の形態３］
さらに上述した第１の実施の形態では、ケーブル抜け防止機構３０のストッパ部３３を弾性部材である梯部３２の先端に設けることで、ストッパ部３３が押されるとストッパ部３３の位置が変化し、押される力がなくなると、ストッパ部３３が元の位置に戻るようにした。これに限らず、ストッパ部３３を梯部３２とは異なる弾性部材に設けるようにしてもよい。
【００７５】
例えば、ストッパ部３３を、梯部３２ではなくスプリングに設けるようにしてもよい。この場合、例えば、図１３に示すように、前後方向ではなく上下方向に延びるスプリング４００の先端にストッパ部３３を設けるようにすればよい。第２の実施の形態についても同様である。
【００７６】
またこれに限らず、ストッパ部３３の位置を完全に固定してもよい。この場合、例えば、ＵＳＢケーブル４０のストレインリリーフ４２Ｓをストッパ部３３から遠ざかる方向に軽く折り曲げながら、ＵＳＢケーブル４０をＵＳＢコネクタ２４に挿入していき、最後にストレインリリーフ４２Ｓをストッパ部３３側に押し付けて、ストレインリリーフ４２Ｓの段差面４２Ｓｆをストッパ部３３の先端面３３Ｃと対向させるようにすればよい。
【００７７】
［３−４．他の実施の形態４］
さらに上述した第１の実施の形態では、ストッパ部３３を、ＵＳＢコネクタ２４に挿入されたＵＳＢケーブル４０の下側に設けるようにしたが、これに限らず、ストッパ部３３を、ＵＳＢケーブル４０の左側、右側、又は左右両側に設けるようにしてもよい。
【００７８】
［３−５．他の実施の形態５］
さらに上述した第２の実施の形態では、ストッパ部３００の先端部の左右方向の中央部分にバネ部３００Ｓを設け、バネ部３００Ｓの左右両側に先端面３００Ｃを設けた。これに限らず、ストッパ部３００の先端部における、バネ部３００Ｓと先端面３００Ｃの配置を変えてもよい。またこれに限らず、ストッパ部３００の先端部全体をバネ部３００Ｓとしてもよい。この場合、例えば、バネ部３００Ｓに設けられた突出部３００Ｓｐの後方への移動量を制限するようにすればよい。このようにすれば、ケーブル抜け防止機構３０ｘでは、ＵＳＢケーブル４０の段差面４２Ｓｆによって突出部３００Ｓｐが最大まで押し込まれた状態で、さらにＵＳＢケーブル４０が後方へと引っ張られると、ＵＳＢケーブル４０の段差面４２Ｓｆが突出部３００Ｓｐに引っ掛かることで、ＵＳＢケーブル４０の抜けが防止される。
【００７９】
［３−６．他の実施の形態６］
さらに上述した各実施の形態では、本発明を、コネクタ付きケーブルと接続される電子機器としてのキーパッド２０に適用したが、これに限らず、ケーブル部の一部分を覆う被覆部を有するコネクタ付きケーブルと接続されるものであれば、キーパッド２０とは異なる電子機器に適用してもよい。例えば、キーパッド２０以外のＵＳＢ機器や、ＵＳＢケーブル４０以外のコネクタ付きケーブルと接続される電子機器などに適用してもよい。さらに上述した各実施の形態では、本発明を、コネクタ付きケーブルと接続される電子機器を備えた自動取引装置としての現金自動預払機１に適用したが、これに限らず、コネクタ付きケーブルと接続される電子機器を備えたものであれば、現金自動預払機１とは異なる自動取引装置に適用してもよい。例えば、コネクタ付きケーブルと接続される電子機器を備えた券売機や、キャッシュレジスタなどに適用してもよい。
【００８０】
［３−７．他の実施の形態７］
さらに、本発明は、上述した各実施の形態に限定されるものではない。すなわち本発明は、上述した第１及び第２の実施の形態と他の実施の形態の一部または全部を任意に組み合わせた実施の形態や、一部を抽出した実施の形態にもその適用範囲が及ぶものである。
【産業上の利用可能性】
【００８１】
本発明は、ＵＳＢケーブルなどのコネクタ付きケーブルと接続される電子機器などで広く利用することができる。
【符号の説明】
【００８２】
１……現金自動預払機、２０、１０１、２０１……キーパッド、２１……パッド筐体、２４、２０２……ＵＳＢコネクタ、２４Ｓ……挿入口、３０、３０ｘ、１００、２００……ケーブル抜け防止機構、３２……梯部、３３、３００……ストッパ部、３３Ｂ……下面、３３Ｃ、３００Ｃ……先端面、３３Ｄ……窪み、４０……ＵＳＢケーブル、４１……ケーブルコネクタ、４２……被覆部、４２Ｓｆ……段差面、４３……ケーブル部、３００Ｓ……バネ部、４００……スプリング。
【図１】
2020194698.tif 000003
【図２】
2020194698.tif 000004
【図３】
2020194698.tif 000005
【図４】
2020194698.tif 000006
【図５】
2020194698.tif 000007
【図６】
2020194698.tif 000008
【図７】
2020194698.tif 000009
【図８】
2020194698.tif 000010
【図９】
2020194698.tif 000011
【図１０】
2020194698.tif 000012
【図１１】
2020194698.tif 000013
【図１２】
2020194698.tif 000014
【図１３】
2020194698.tif 000015